(57)【要約】【課題】異なるサイズの光源を用いたとしてもハウジングなどの部品の共用化が可能な画像読み取り装置を提供する。【解決手段】ハウジング６０は、第１ミラー５１および第３ミラー５３に近い位置（第１の位置）にて第２ミラー５２を支持する第１の支持部６１、第１の支持部６１よりも第１ミラー５１および第３ミラー５３から離れた位置（第２の位置）にて第２ミラー５２を支持する第２の支持部６２を備えている。また、ハウジング６０は、第２ミラー５２および第４ミラー５４に近い位置にて第３ミラー５３を支持する第３の支持部６３、第３の支持部６３よりも第２ミラー５２および第４ミラー５４から離れた位置にて第３ミラー５３を支持する第４の支持部６４を備えている。【選択図】図３
2009188937.tif 000002
【特許請求の範囲】
【請求項１】
原稿に対して光を照射する光源として、第１の光源と第２の光源とを交換可能に取り付ける取付手段と、
前記原稿からの反射光を受光するセンサと、
前記原稿からの反射光を前記センサに導くミラーと、
前記取付手段により前記第１の光源が取り付けられた際には前記ミラーを第１の位置にて支持する第１の支持部と、
前記第１の光源に換えて前記第２の光源が前記取付手段により取り付けられた際には、前記原稿から前記センサに至る光路長の調整のために前記ミラーまたは他のミラーを前記第１の位置とは異なる第２の位置にて支持するための第２の支持部と、
を含む画像読み取り装置。
【請求項２】
前記ミラーまたは前記他のミラーの光反射面は、平坦状に形成され、
前記第２の支持部が前記ミラーまたは前記他のミラーを支持する際の当該ミラーまたは当該他のミラーの光反射面は、前記第１の支持部が前記ミラーを支持する際の当該ミラーの光反射面と略平行となるように配置されることを特徴とする請求項１記載の画像読み取り装置。
【請求項３】
前記ミラーまたは前記他のミラーの角度を調整する角度調整機構を更に備えることを特徴とする請求項１記載の画像読み取り装置。
【請求項４】
前記光源及び前記センサが取り付けられるとともに前記第１の支持部と前記第２の支持部とを有するハウジングを更に備え、
前記第１の支持部および前記第２の支持部は、前記ハウジングと一体に形成されることを特徴とする請求項１記載の画像読み取り装置。
【請求項５】
長尺状に形成された前記ミラーが挿入される挿入口を備えるとともに当該挿入口に面して配置され当該挿入口を挟み互いに対向配置された第１の辺部と第２の辺部とを有し、当該ミラーを支持する支持部材と、
前記挿入口に挿入された前記ミラーと前記第２の辺部との間に配置され、当該ミラーを前記第１の辺部に形成された前記第１の支持部に向けて押圧するばね部材と、を更に備え、
前記ばね部材は、前記挿入口に挿入された前記ミラーと前記第１の辺部との間にも配置可能であり、当該間に配置された場合には当該ミラーを前記第２の辺部に形成された前記第２の支持部に向けて押圧することを特徴とする請求項１記載の画像読み取り装置。
【請求項６】
前記第２の支持部は、前記ミラーと前記第２の辺部との間に配置された前記ばね部材の位置ずれを規制し、
前記第１の支持部は、前記ミラーと前記第１の辺部との間に前記ばね部材が配置された場合に、当該ばね部材の位置ずれを規制することを特徴とする請求項５記載の画像読み取り装置。
【請求項７】
前記第１の支持部が形成された前記第１の辺部と前記第２の支持部が形成された前記第２の辺部とは、所定の対称軸を基準として略対称となる関係で配置されていることを特徴する請求項５記載の画像読み取り装置。
【請求項８】
原稿に対して光を照射する光源と、
前記原稿からの反射光を受光するセンサと、
長尺状に形成され且つ所定の厚みを有し、前記原稿からの反射光を前記センサに導くミラーと、
前記ミラーの長手方向における端部にて当該ミラーを支持し、当該ミラーを第１の位置に位置決めする位置決め部材と、
を備え、
前記位置決め部材は、前記第１の位置とは前記ミラーの厚み方向における位置が異なる第２の位置に当該ミラーまたは他のミラーを位置決め可能であることを特徴とする画像読み取り装置。
【請求項９】
前記位置決め部材が前記第２の位置に位置決め可能な前記他のミラーは、前記ミラーよりもサイズが小さいことを特徴とする請求項８記載の画像読み取り装置。
【請求項１０】
前記位置決め部材は、前記ミラーを前記第１の位置に位置決めする第１の位置決め部と、当該ミラーまたは前記他のミラーを前記第２の位置に位置決め可能な第２の位置決め部とを有し、当該第１の位置決め部および当該第２の位置決め部は、当該位置決め部材の本体側と一体に形成されることを特徴とする請求項８記載の画像読み取り装置。
【請求項１１】
前記位置決め部材は、前記ミラーを前記第１の位置に位置決めする第１の位置決め部と、当該ミラーまたは前記他のミラーを前記第２の位置に位置決め可能な第２の位置決め部とを有し、
前記第１の位置決め部および前記第２の位置決め部の各々は、所定の基準面から突出した突出部として構成され、当該第１の位置決め部の突出高さと当該第２の位置決め部の突出高さとが互いに異なることを特徴とする請求項８記載の画像読み取り装置。
【請求項１２】
前記第１の位置に位置決めされる前記ミラーに接触する第１の接触部を有し当該ミラーを前記位置決め部材に押圧するばね部材を更に備え、
前記ばね部材は、前記第２の位置に位置決めされる前記ミラー又は前記他のミラーに接触する第２の接触部を更に備えることを特徴とする請求項８記載の画像読み取り装置。
【発明の詳細な説明】
【技術分野】
【０００１】
本発明は、原稿の画像を読み取る画像読み取り装置に関する。
【背景技術】
【０００２】
使用者が設定した所望の条件での読取画像の取得を可能とするため、反射ミラー等を光路に沿ってガイドするガイド部材と、このガイド部材が取り付けられるとともにフレームに取り付けられる固定部材とを備え、この固定部材の熱膨張係数がフレームの熱膨張係数よりも小さい材料で構成された原稿走査ユニットが提案されている（例えば、特許文献１参照）。
【０００３】
【特許文献１】特開２００５−２３４２９７号公報
【発明の開示】
【発明が解決しようとする課題】
【０００４】
ところで、原稿の画像を読み取る画像読み取り装置には、原稿に光を照射する光源、原稿からの反射光をセンサへ案内するミラーなどが設けられる場合がある。ここで、この光源に換え他の光源を用いることができれば、用途や仕様に応じた読み取り装置を簡易に構成できると同時にハウジングなどの他の部品の共用化を図ることができる。しかしながら、用いられる光源のサイズによっては原稿の被読み取り面からセンサに至る光路長が変化してしまい、上記他の部品をそのまま用いることが困難となる場合がある。
本発明の目的は、異なるサイズの光源を用いたとしてもハウジングなどの部品の共用化が可能な画像読み取り装置を提供することにある。
【課題を解決するための手段】
【０００５】
請求項１に記載の発明は、原稿に対して光を照射する光源として、第１の光源と第２の光源とを交換可能に取り付ける取付手段と、前記原稿からの反射光を受光するセンサと、前記原稿からの反射光を前記センサに導くミラーと、前記取付手段により前記第１の光源が取り付けられた際には前記ミラーを第１の位置にて支持する第１の支持部と、前記第１の光源に換えて前記第２の光源が前記取付手段により取り付けられた際には、前記原稿から前記センサに至る光路長の調整のために前記ミラーまたは他のミラーを前記第１の位置とは異なる第２の位置にて支持するための第２の支持部と、を含む画像読み取り装置である。
請求項２に記載の発明は、前記ミラーまたは前記他のミラーの光反射面は、平坦状に形成され、前記第２の支持部が前記ミラーまたは前記他のミラーを支持する際の当該ミラーまたは当該他のミラーの光反射面は、前記第１の支持部が前記ミラーを支持する際の当該ミラーの光反射面と略平行となるように配置されることを特徴とする請求項１記載の画像読み取り装置である。
請求項３に記載の発明は、前記ミラーまたは前記他のミラーの角度を調整する角度調整機構を更に備えることを特徴とする請求項１記載の画像読み取り装置である。
請求項４に記載の発明は、前記光源及び前記センサが取り付けられるとともに前記第１の支持部と前記第２の支持部とを有するハウジングを更に備え、前記第１の支持部および前記第２の支持部は、前記ハウジングと一体に形成されることを特徴とする請求項１記載の画像読み取り装置である。
請求項５に記載の発明は、長尺状に形成された前記ミラーが挿入される挿入口を備えるとともに当該挿入口に面して配置され当該挿入口を挟み互いに対向配置された第１の辺部と第２の辺部とを有し、当該ミラーを支持する支持部材と、前記挿入口に挿入された前記ミラーと前記第２の辺部との間に配置され、当該ミラーを前記第１の辺部に形成された前記第１の支持部に向けて押圧するばね部材と、を更に備え、前記ばね部材は、前記挿入口に挿入された前記ミラーと前記第１の辺部との間にも配置可能であり、当該間に配置された場合には当該ミラーを前記第２の辺部に形成された前記第２の支持部に向けて押圧することを特徴とする請求項１記載の画像読み取り装置である。
請求項６に記載の発明は、前記第２の支持部は、前記ミラーと前記第２の辺部との間に配置された前記ばね部材の位置ずれを規制し、前記第１の支持部は、前記ミラーと前記第１の辺部との間に前記ばね部材が配置された場合に、当該ばね部材の位置ずれを規制することを特徴とする請求項５記載の画像読み取り装置である。
請求項７に記載の発明は、前記第１の支持部が形成された前記第１の辺部と前記第２の支持部が形成された前記第２の辺部とは、所定の対称軸を基準として略対称となる関係で配置されていることを特徴する請求項５記載の画像読み取り装置である。
【０００６】
請求項８に記載の発明は、原稿に対して光を照射する光源と、前記原稿からの反射光を受光するセンサと、長尺状に形成され且つ所定の厚みを有し、前記原稿からの反射光を前記センサに導くミラーと、前記ミラーの長手方向における端部にて当該ミラーを支持し、当該ミラーを第１の位置に位置決めする位置決め部材と、を備え、前記位置決め部材は、前記第１の位置とは前記ミラーの厚み方向における位置が異なる第２の位置に当該ミラーまたは他のミラーを位置決め可能であることを特徴とする画像読み取り装置である。
請求項９に記載の発明は、前記位置決め部材が前記第２の位置に位置決め可能な前記他のミラーは、前記ミラーよりもサイズが小さいことを特徴とする請求項８記載の画像読み取り装置である。
請求項１０に記載の発明は、前記位置決め部材は、前記ミラーを前記第１の位置に位置決めする第１の位置決め部と、当該ミラーまたは前記他のミラーを前記第２の位置に位置決め可能な第２の位置決め部とを有し、当該第１の位置決め部および当該第２の位置決め部は、当該位置決め部材の本体側と一体に形成されることを特徴とする請求項８記載の画像読み取り装置である。
請求項１１に記載の発明は、前記位置決め部材は、前記ミラーを前記第１の位置に位置決めする第１の位置決め部と、当該ミラーまたは前記他のミラーを前記第２の位置に位置決め可能な第２の位置決め部とを有し、前記第１の位置決め部および前記第２の位置決め部の各々は、所定の基準面から突出した突出部として構成され、当該第１の位置決め部の突出高さと当該第２の位置決め部の突出高さとが互いに異なることを特徴とする請求項８記載の画像読み取り装置である。
請求項１２に記載の発明は、前記第１の位置に位置決めされる前記ミラーに接触する第１の接触部を有し当該ミラーを前記位置決め部材に押圧するばね部材を更に備え、前記ばね部材は、前記第２の位置に位置決めされる前記ミラー又は前記他のミラーに接触する第２の接触部を更に備えることを特徴とする請求項８記載の画像読み取り装置である。
【発明の効果】
【０００７】
本発明の請求項１によれば、異なるサイズの光源を用いたとしてもハウジングなどの部品の共用化が可能な画像読み取り装置を提供することができる。
本発明の請求項２によれば、例えば、第１の支持部により支持されたミラーから出射される光の光路と第２の支持部により支持されたミラーから出射される光の光路とが略平行となり、光路が略平行でない場合に比べ、原稿の被読み取り面からセンサに至る光路の配置設計を簡易に行うことができる。
本発明の請求項３によれば、例えば、ミラーから出射される光の光路を調整することが可能となる。
本発明の請求項４によれば、第１の支持部および第２の支持部がハウジングと一体に形成された場合、第１の支持部および第２の支持部がハウジングとは別部品で形成された場合に比べ、例えば光学的な精度を確保することができる。
本発明の請求項５によれば、ばね部材の配置位置をミラーと第１の辺部との間とすることで第２の支持部にミラーの支持を行わせることができ、ミラーの支持位置の変更を簡易に行うことができる。
本発明の請求項６によれば、ばね部材の位置ずれを規制する規制部を別途設けることなくばね部材の位置ずれを規制することが可能となり、構成の簡略化を図ることができる。
本発明の請求項７によれば、例えば、第１の支持部により支持されたミラーから出射される光の光路と第２の支持部により支持されたミラーから出射される光の光路とを略平行とすることができる。
【０００８】
本発明の請求項８によれば、原稿からセンサに至る光路長の調整が可能となり、異なるサイズの光源を用いたとしてもハウジングなどの部品の共用化が可能な画像読み取りユニットを提供することができる。
本発明の請求項９によれば、第２の位置決め部によりミラーの位置決めを行う際には、画像読み取り装置の小型化を図ることが可能となる。
本発明の請求項１０によれば、第１の位置決め部および第２の位置決め部が位置決め部材の本体側に一体に形成された場合、第１の位置決め部および第２の位置決め部が位置決め部材とは別部品で形成された場合に比べ、例えば光学的な精度を確保することができる。
本発明の請求項１１によれば、本発明を採用しない場合に比べ、第１の位置におけるミラーの位置決めと第２の位置におけるミラーの位置決めとを簡易な構成で実現することができる。
本発明の請求項１２によれば、本発明を採用しない場合に比べ、ミラーや他のミラーをより安定的に位置決めすることが可能となる。
【発明を実施するための最良の形態】
【０００９】
―第１の実施形態―
以下、添付図面を参照して、本発明を実施するための最良の形態について詳細に説明する。
図１は、第１の実施形態に係る画像読み取り装置１の全体構成を示す図である。
同図に示す画像読み取り装置１は、原稿を走査（スキャン）することによって画像を読み込むスキャナ装置１０と、積載された原稿束から原稿を順次搬送する原稿送り装置２０とを備えている。
【００１０】
原稿送り装置２０は、複数枚の原稿からなる原稿束を積載する原稿積載部２１、この原稿積載部２１の下方に設けられ、読み取りが終了した原稿を積載する排紙積載部２２を備える。また、原稿送り装置２０には、原稿積載部２１の原稿を取り出して搬送するナジャーロール２３と、用紙を一枚ずつに捌く捌き機構２４とが設けられている。また、原稿が搬送される搬送路２５には、一枚ずつに捌かれた原稿を下流側のロールに向けて搬送するプレレジロール２６と、スキャナ装置１０に対してレジストレーション調整を施しながら原稿を供給するレジロール２７とを備える。また、スキャナ装置１０にて読み込み中の原稿搬送を助けるプラテンロール２８と、スキャナ装置１０にて読み込まれた原稿をさらに下流に搬送するアウトロール２９を備える。更に、読み込まれた原稿を排紙積載部２２に排出する排出ロール３０を備えている。
【００１１】
スキャナ装置１０は、画像を読み込むべき原稿を静止させた状態で載せる第１プラテンガラス１１Ａと、原稿送り装置２０によって搬送される原稿を読み取るための光を透過させる第２プラテンガラス１１Ｂを備えている。また、スキャナ装置１０は、第１プラテンガラス１１Ａに載せられた原稿や原稿送り装置２０によって搬送される原稿の読み取りを行う読み取りユニット（画像読み取りユニット）１２と、この読み取りユニット１２を収容する筐体１３とを有している。
【００１２】
読み取りユニット１２は、原稿に光を照射するための照明ランプ５０（光源の一例）と、原稿から得られた反射光を受光し反射する第１ミラー５１と、第１ミラー５１から得られた光を順次反射し後述するＣＣＤイメージセンサ５６へ提供する第２ミラー５２、第３ミラー５３、第４ミラー５４とを備えている。ここで、第１ミラー５１〜第４ミラー５４の各々の光反射面は、平坦状に形成されている。また、第１ミラー５１〜第４ミラー５４の各々は、所定の厚みを有した板状に形成され、また長尺状に構成されている。さらに、第１ミラー５１〜第４ミラー５４の各々は、副走査方向に沿って配置されている。また、第１ミラー５１〜第４ミラー５４の各々は、その両端が後述するミラー支持部材４０やハウジング６０によって支持され、所定位置に位置決めされている。また、読み取りユニット１２は、第４ミラー５４から得られた光学像を光学的に縮小する結像用レンズ５５と、結像用レンズ５５によって結像された光学像を光電変換するＣＣＤイメージセンサ５６とを備えている。
【００１３】
また、読み取りユニット１２は、照明ランプ５０、第１ミラー５１〜第４ミラー５４、結像用レンズ５５、およびＣＣＤイメージセンサ５６を保持するハウジング６０を備えている。ここで、照明ランプ５０は、ハウジング６０の上部に設けられ取り付け手段の一つとして機能する取付部６０ｂに取り付けられている。
このように、本実施形態におけるスキャナ装置１０では、所謂縮小光学系を用いてＣＣＤイメージセンサ５６に像を結像させている。ここで、読み取りユニット１２は、図中背面側に位置し図中矢印Ｘで示す副走査方向に延びるガイドシャフト１２５によって、副走査方向にガイドされる構成となっている。
【００１４】
筐体１３は、第１プラテンガラス１１Ａおよび第２プラテンガラス１１Ｂを保持する第１の筐体１３Ａと、第１の筐体１３Ａとともに読み取りユニット１２を収容する第２の筐体１３Ｂと、を有する。そして、第１の筐体１３Ａと第２の筐体１３Ｂとは、画像読み取り装置１の外観を構成している。ここで、第２の筐体１３Ｂには、ガイドシャフト１２５の両端をそれぞれ保持する軸受部１４が設けられている。
【００１５】
また、第２の筐体１３Ｂには、読み取りユニット１２のハウジング６０の底部に取り付けられた摺動部材６０ａと接触して読み取りユニット１２を支持するとともに、読み取りユニット１２を副走査方向にガイドするガイドレール１５が備えられている。なお、このガイドレール１５は、図中前面側に位置している。さらに、第２の筐体１３Ｂには、ガイドレール１５を保持するレール受部１６が設けられている。なお、本実施形態における画像読み取り装置１では、原稿送り装置２０が設けられた構成を一例に説明したが、原稿送り装置２０に替え、第１プラテンガラス１１Ａ上に置かれた原稿を押さえるプラテンカバー（不図示）を設ける構成とすることも可能である。
【００１６】
このように構成された画像読み取り装置１において、第１プラテンガラス１１Ａに載せられた原稿の画像が読み取られる場合、読み取りユニット１２は、駆動モータ（不図示）により駆動される例えばベルト部材（不図示）によって図中Ｘ方向に示す副走査方向に移動する。なお、この際、読み取りユニット１２は、ガイドシャフト１２５およびガイドレール１５によりガイドされる。そして、照明ランプ５０の光が原稿の被読み取り面に照射され、原稿からの反射光が第１ミラー５１、第２ミラー５２、第３ミラー５３、および第４ミラー５４の順に反射されて結像用レンズ５５に導かれる。そして、結像用レンズ５５に導かれた光は、ＣＣＤイメージセンサ５６の受光面に結像される。ここで、本実施形態におけるＣＣＤイメージセンサ５６は１次元のセンサであり、１ライン分を同時に処理している。そして、スキャンの副走査方向に読み取りユニット１２が更に移動すると、読み取りユニット１２は原稿の次のラインを読み取る。これを原稿全体に亘って実行することで、１枚の原稿読み取りが完了する。
【００１７】
一方、原稿送り装置２０によって原稿の搬送が行われる場合、搬送される原稿は第２プラテンガラス１１Ｂの上を通過する。このとき、読み取りユニット１２は、第２プラテンガラス１１Ｂの下方に配置される。そして、原稿送り装置２０のプラテンロール２８を経た原稿の１ライン目の反射光が、第１ミラー５１、第２ミラー５２、第３ミラー５３、および第４ミラー５４を経て結像用レンズ５５にて結像され、ＣＣＤイメージセンサ５６によって画像が読み込まれる。次いで、原稿送り装置２０によって搬送される原稿の次の１ラインが読み込まれる。その後も原稿の搬送に応じて画像の読み込みが行われ、原稿の後端が第２プラテンガラス１１Ｂの読み取り位置を通過することによって、副走査方向に亘って１枚の原稿読み取りが完了する。
【００１８】
図２は、読み取りユニット１２の共用化を説明するための図である。
読み取りユニット１２に用いられる照明ランプ５０には、用途や仕様に合わせ、冷陰極管ランプ、キセノンランプなど様々な種類のものが用いられる。ところで、照明ランプ５０は、その種類によって径が異なるのが一般的であり、例えば、小さいものでは径が３ｍｍとなり大きいものでは径が１０ｍｍとなる。ここで、例えば本実施形態における読み取りユニット１２（大径の照明ランプ５０（第１の光源）を採用）が既に存在している場合において（同図（ａ）参照）、ハウジング６０等の形状などを変えずに新たな照明ランプ５０（小径の照明ランプ５０（第２の光源）を採用）を設けることができれば（同図（ｂ）参照）、ハウジング６０等の共用化が可能となりコストダウンを図ることが可能となる。
【００１９】
ここで、同図（ａ）に示す状態において小径の照明ランプ５０に換えた場合、原稿と照明ランプ５０との距離が大きくなるため、原稿に照射される光の光量が低下する。また、照明ランプ５０が小径であると一般的に光量が落ち、この場合も原稿に照射される光の光量が低下してしまう。このため、小径の照明ランプ５０を用いた場合には、照明ランプ５０が原稿（第１プラテンガラス１１Ａ）に近づくように、ハウジング６０を原稿に接近させて配置する必要がある。
【００２０】
ところでこの場合、原稿の被読み取り面と第１ミラー５１との距離が異なるようになる。即ち、同図（ａ）にて距離Ｄ１であったものが、小径の照明ランプ５０を用いることで距離Ｄ１よりも小さい距離Ｄ２となる（同図（ｂ）参照）。そして、被読み取り面と第１ミラー５１との距離が異なるようになると、被読み取り面からＣＣＤイメージセンサ５６までの光路長が変化してしまう。このため、ハウジング６０等の形状などを変えずに新たな読み取りユニット１２を構成することは困難となる。この場合、ＣＣＤイメージセンサ５６や結像用レンズ５５が後退するように（同図（ｂ）の破線参照）、又は、光路長が長くなる位置に第１ミラー５１、第３ミラー５３、および第４ミラー５４等が位置するように（同図（ｂ）の破線参照）、ハウジング６０等の新規開発や仕様変更が必要となる。また、結像用レンズ５５の新規開発や仕様変更が必要となる場合もある。そして、新規開発や仕様変更を行うとコスト高となるなどの不具合が生じてしまう。
【００２１】
ここで、図３は、本実施形態における読み取りユニット１２を示したものである。
上述のとおり、通常は照明ランプ５０の交換のみによっては新たな読み取りユニット１２を構成することができず、ハウジング６０等の新規開発や仕様変更が必要となってしまう。そこで、本実施形態では、第２ミラー５２、第３ミラー５３、第４ミラー５４が異なる複数の位置にてハウジング６０等によって支持されるようにハウジング６０等を構成し、ハウジング６０等の共用化を図っている。
【００２２】
詳細には、同図（ａ）に示すように、本実施形態におけるハウジング６０等は、第１ミラー５１および第３ミラー５３に近い位置（第１の位置）にて第２ミラー５２を支持する第１の支持部６１、第１の支持部６１よりも第１ミラー５１および第３ミラー５３から離れた位置（第２の位置）にて第２ミラー５２を支持する第２の支持部６２を備えている。付言すれば、ハウジング６０等は、第２ミラー５２の厚み方向における異なる位置にて第２ミラー５２を支持する第１の支持部６１および第２の支持部６２を備えている。また、ハウジング６０等は、第２ミラー５２および第４ミラー５４に近い位置にて第３ミラー５３を支持する第３の支持部６３、第３の支持部６３よりも第２ミラー５２および第４ミラー５４から離れた位置にて第３ミラー５３を支持する第４の支持部６４を備えている。付言すれば、ハウジング６０は、第３ミラー５３の厚み方向における異なる位置にて第３ミラー５３を支持する第３の支持部６３および第４の支持部６４を備えている。
【００２３】
ここで同図（ｂ）に示すように照明ランプ５０に小径のものが用いられた場合、第２ミラー５２および第３ミラー５３の配置位置を変更し、第２ミラー５２が第２の支持部６２によって支持されるように、また第３ミラー５３が第４の支持部６４に支持されるようにする。これにより光路長の調整が可能となり、照明ランプ５０の交換後における光路長を、照明ランプ５０の交換前の光路長（同図（ａ）における光路長）と同等のものとすることができる。このため、本実施形態では、ハウジング６０等の新規開発や仕様変更や行わずに照明ランプ５０の交換前の光路長を確保することができる。
【００２４】
なお、同図（ｃ）に示すように、ハウジング６０等に、第４ミラー５４を結像用レンズ５５および第３ミラー５３に近い位置にて支持する第５の支持部６５、第５の支持部６５よりも結像用レンズ５５および第３ミラー５３から離れた位置にて第４ミラー５４を支持する第６の支持部６６を設けることもできる。さらに、本実施形態では図示していないが、第１ミラー５１の配置位置を変更できるように、ハウジング６０等に複数の支持部を形成することもできる。なお、本実施形態では、第１ミラー５１の上方に第２ミラー５２と第３ミラー５３とを結ぶ光路が形成され、第１ミラー５１の下方に第４ミラー５４と結像用レンズ５５とを結ぶ光路が形成されている。このため、第１ミラー５１の配置位置によっては、これらの光路と第１ミラー５１とが干渉するおそれがある。このため、第１ミラー５１の配置変更には他のミラーの配置変更よりも制約が存在する。
【００２５】
なお、本実施形態における第１の筐体１３Ａ（図１参照）と第２の筐体１３Ｂとは、高さ方向における相対的な位置が可変出来るように構成されている。この結果、第１の筐体１３Ａと第２の筐体１３Ｂとの相対的な位置を変えることで、ガイドシャフト１２５およびガイドレール１５の高さ方向における位置も変えることができる。このため、上記ハウジング６０の配置位置の変更は、筐体１３の新規開発等を行わずに行うことができる。
なお、ハウジング６０の配置位置の変更は、例えば、高さ方向における異なる複数の位置にて固定可能なガイドシャフト１２５およびガイドレール１５の固定位置を変えることでも行うことができる。また、ハウジング６０の配置位置の変更は、例えば、ガイドシャフト１２５およびガイドレール１５の各々を、高さ方向における異なる位置に２つ（複数）予め設けておくことでも行うことができる。
【００２６】
ここで、図４は、第２ミラー５２の固定態様を示した図である。なお、以下では第１の支持部６１および第２の支持部６２を中心に説明していくが、他の支持部についても、第１の支持部６１および第２の支持部６２と同様に構成することができる。
同図に示すように、本実施形態における画像読み取り装置１においては、ハウジング６０に取り付けられるとともに、第２ミラー５２の位置決めを行う位置決め部材としてのミラー支持部材４０が設けられている。第２ミラー５２を含め、第１ミラー５１、第３ミラー５３、第４ミラー５４は、ハウジング６０による直接支持のみならず、このようなミラー支持部材４０を介してハウジング６０に支持される場合がある。なお、第２ミラー５２等がハウジング６０によって直接支持される場合（詳細は後述）には、ハウジング６０が第２ミラー５２等の位置決めを行う位置決め部材として機能することになる。
【００２７】
本実施形態におけるミラー支持部材４０は、例えば金属により形成することができ、また例えば板金に対し曲げ加工を施すことにより形成することができる。また、ミラー支持部材４０は、主走査方向に沿って配置された平板状の本体部４１と、本体部４１に直交する関係で配置された第１の突出片４２と、同じく本体部４１に直交する関係で配置された第２の突出片４３とを備えている。ここで、第１の突出片４２は、本体部４１の長手方向における一端部に設けられ、第２の突出片４３は、本体部４１の長手方向における他端部に設けられている。第１の突出片４２は、主走査方向に貫通配設され第２ミラー５２の一端部側が挿入される開口（挿入口）７０を備え、また、第２の突出片４３も、主走査方向に貫通配設され第２ミラー５２の他端部側が挿入される開口（挿入口）７０を備えている。そして、本実施形態では、これらの開口７０に第２ミラー５２が挿入された後、第２ミラー５２と第１の突出片４２との間、および第２ミラー５２と第２の突出片４３との間に、貫通孔８０ａおよび第２ミラー５２に接触する接触部８０ｂを備えたミラークリップ８０が挿入される。これにより、第２ミラー５２は、ミラー支持部材４０に固定される。
【００２８】
ここで、図５は、第１の突出片４２、第２の突出片４３、および第２ミラー５２を図示したものである。なお、同図（ａ）は、第１の突出片４２および第２ミラー５２を正面側から図示したものであり、同図（ｂ）は、第２の突出片４３および第２ミラー５２を背面側から図示したものである。なお、これらの図では、ミラークリップ８０を簡略化して表示している。
【００２９】
同図（ａ）、（ｂ）に示すように、第１の突出片４２および第２の突出片４３は、上述のとおり開口７０を備えている。ここで開口７０は、略矩形状に形成されている。
そして本実施形態における第１の支持部（第１の位置決め部）６１は、第１の突出片４２に設けられ、開口７０に面した第１の辺部７１から開口７０の内部方向に向かって突出した第１の突出部６１ａと、同じく第１の突出片４２に設けられ、第１の辺部７１から開口７０の内部方向に向かって突出した第２の突出部６１ｂとから構成されている（同図（ａ）参照）。また、第１の支持部６１は、第２の突出片４３に設けられ、開口７０に面した第１の辺部７１から開口７０の内部方向に向かって突出した第３の突出部６１ｃから構成されている（同図（ｂ）参照）。即ち、第１の支持部６１は、第１の突出部６１ａ、第２の突出部６１ｂ、および第３の突出部６１ｃとから構成されている。
【００３０】
また、第２の支持部（第２の位置決め部）６２は、第１の突出片４２に設けられ、開口７０を挟み上記第１の辺部７１の対向位置に配置された第２の辺部７２から開口７０の内部方向に向かって突出した第１の突出部６２ａと、同じく第１の突出片４２に設けられ、第２の辺部７２から開口７０の内部方向に向かって突出した第２の突出部６２ｂとから構成されている（同図（ａ）参照）。また、第２の支持部６２は、第２の突出片４３に設けられ、開口７０を挟み第１の辺部７１の対向位置に配置された第２の辺部７２から開口７０の内部方向に向かって突出した第３の突出部６２ｃから構成されている（同図（ｂ）参照）。即ち、第２の支持部６２は、第１の突出部６２ａ、第２の突出部６２ｂ、および第３の突出部６２ｃとから構成されている。
ここで、第１の支持部６１における第１の突出部６１ａ、第２の突出部６１ｂ、および第３の突出部６１ｃ、第２の支持部６２における第１の突出部６２ａ、第２の突出部６２ｂ、および第３の突出部６２ｃは、その外縁が円弧状に形成されている。また、これらの突出部は、ミラー支持部材４０と一体に形成されている。
【００３１】
また、本実施形態では、第１の突出部６１ａの頂部、第２の突出部６１ｂの頂部、および第３の突出部６１ｃの頂部に接する接平面と、第１の突出部６２ａの頂部、第２の突出部６２ｂの頂部、および第３の突出部６２ｃの頂部に接する接平面とが略平行となるように、これらの突出部は配置されている。さらに、第１の突出部６１ａと第１の突出部６２ａとは対向する関係で配置され、また第２の突出部６１ｂと第２の突出部６２ｂも対向する関係で配置されている。また、第３の突出部６１ｃと第３の突出部６２ｃも対向する関係で配置されている。また、第１の突出部６１ａと第２の突出部６１ｂとの配置間隔と、第１の突出部６２ａと第２の突出部６２ｂとの配置間隔とが揃った状態（略等しい状態となっている）。
【００３２】
さらに、本実施形態では、同図（ａ）に示すように、第２ミラー５２の厚み方向と直交する所定の対称軸（図中Ａ−Ａ線参照）を基準とした場合に、第１の突出片４２における開口７０は線対称に形成されている。付言すれば、第１の突出部６１ａ、第２の突出部６１ｂが形成された第１の辺部７１と、第１の突出部６２ａ、第２の突出部６２ｂが形成された第２の辺部７２とは、上記対称軸を基準として略対称（略線対称）となる関係で配置されている。また、第２ミラー５２の厚み方向に沿う所定の対称軸（図中Ｂ−Ｂ線参照）を基準とした場合にも、開口７０は線対称に形成されている。付言すれば、この対称軸を基準として、第１の突出部６１ａおよび第２の突出部６１ｂは略線対称の関係で配置され、また、第１の突出部６２ａおよび第２の突出部６２ｂも略線対称の関係で配置されている。
【００３３】
さらに、同図（ｂ）に示すように、第２ミラー５２の厚み方向と直交する所定の対称軸（図中Ｃ−Ｃ線参照）を基準とした場合に、第２の突出片４３における開口７０は線対称に形成されている。付言すれば、第３の突出部６１ｃが形成された第１の辺部７１と、第３の突出部６２ｃが形成された第２の辺部７２とは、上記対称軸を基準として略対称（略線対称）となる関係で配置されている。また、第２ミラー５２の厚み方向に沿う所定の対称軸（図中Ｄ−Ｄ線参照）を基準とした場合にも、開口７０は線対称に形成されている。付言すれば、第３の突出部６１ｃが形成された第１の辺部７１はこの対称軸を基準として略線対称に形成され、第３の突出部６２ｃが形成された第２の辺部７２もこの対称軸を基準として略線対称に形成されている。
【００３４】
第２ミラー５２が第１の支持部６１によって支持される際には、第１の突出片４２における第２の辺部７２と第２ミラー５２との間にばね部材としてのミラークリップ８０が配置される（同図（ａ）参照）。また、第２の突出片４３における第２の辺部７２と第２ミラー５２との間にもミラークリップ８０が配置される（同図（ｂ）参照）。この結果、第２ミラー５２の表面側（光反射面側）が第１の支持部６１に押圧され、第２ミラー５２は第１の支持部６１によって支持される。付言すれば、第２ミラー５２の表面側（光反射面側）が第１の支持部６１に押圧され、第２ミラー５２は第１の支持部６１によって位置決めされる。
【００３５】
また、第２ミラー５２が第２の支持部６２によって支持される際には、第１の突出片４２における第１の辺部７１と第２ミラー５２との間にミラークリップ８０が配置される。また、第２の突出片４３における第１の辺部７１と第２ミラー５２との間にもミラークリップ８０が配置される。この場合、第２ミラー５２の裏面側が第２の支持部６２に押圧され、第２ミラー５２は第２の支持部６２によって支持される（図５（ａ）、（ｂ）の破線参照）。付言すれば、第２ミラー５２の裏面側が第２の支持部６２に押圧され、第２ミラー５２は第２の支持部６２によって位置決めされる。
【００３６】
なお、第２の突出片４３における第２の辺部７２と第２ミラー５２との間にミラークリップ８０が配置された際、ミラークリップ８０における貫通孔８０ａ（図４参照）に第３の突出部６２ｃが入り込み、ミラークリップ８０の位置ずれが規制される。第３の突出部６２ｃは、第２ミラー５２を支持する機能を有するとともに、このようにミラークリップ８０の位置ずれを規制する機能も有している。また、第２の突出片４３における第１の辺部７１と第２ミラー５２との間にミラークリップ８０が配置された際にも、ミラークリップ８０における貫通孔８０ａに第３の突出部６１ｃが入り込み、ミラークリップ８０の位置ずれが規制される。第３の突出部６１ｃは、第２ミラー５２を支持する機能を有するとともに、ミラークリップ８０の位置ずれを規制する機能も有している。
【００３７】
ここで本実施形態では、上述のとおり、第１の突出部６１ａの頂部、第２の突出部６１ｂの頂部、および第３の突出部６１ｃの頂部に接する接平面と、第１の突出部６２ａの頂部、第２の突出部６２ｂの頂部、および第３の突出部６２ｃの頂部に接する接平面とが略平行となるように、突出部が配置されている。このため、第１の支持部６１によって支持された状態から第２の支持部６２によって支持された状態へと第２ミラー５２の配置変更を行うと、第２ミラー５２は平行にオフセットされた状態となる。換言すれば、第２の支持部６２が第２ミラー５２を支持する際の第２ミラー５２の光反射面は、第１の支持部６１が第２ミラー５２を支持する際の第２ミラー５２の光反射面と略平行の状態となる。この結果、同図（ａ）のＸ１、Ｘ２に示すように、第２ミラー５２から出射される光線の光路（光軸）は略並行となる。なお、本実施形態では、読み取りユニット１２に設けられたミラーの位置を変更可能な構成としたが、所謂フルレートキャリッジおよびハーフレートキャリッジを設けた画像読み取り装置におけるミラーの位置を変更可能な構成とすることもできる。
【００３８】
―第２の実施形態―
図６は、第２の実施形態における第２ミラー５２の固定態様を示した図である。本実施形態においても、開口７０を備えた第１の突出片４２と、開口７０を備えた第２の突出片４３とを備えたミラー支持部材４０が設けられる。そして、これらの開口７０に第２ミラー５２が挿入された後、ミラークリップ８０が挿入され、第２ミラー５２は、ミラー支持部材４０に固定される（位置決めされる）。ここで、本実施形態では、第１の支持部６１、第２の支持部６２の配置態様が第１の実施形態と異なっている。
【００３９】
ここで、図７は、第１の突出片４２、第２の突出片４３、および第２ミラー５２を図示したものである。なお、図７（ａ）は、第１の突出片４２および第２ミラー５２を正面側から図示したものであり、図７（ｂ）は、第２の突出片４３および第２ミラー５２を正面側から図示したものである。また、図７（ｃ）は、図７（ｂ）のおけるＸ−Ｘ線における断面を示している。なお、図７（ａ）、（ｂ）では、ミラークリップ８０を簡略化して図示している。
【００４０】
ここで、本実施形態における第１の支持部（第１の位置決め部）６１は、第１の突出片４２に設けられ、開口７０の第１の辺部７１から開口７０の内部方向に向かって突出した第１の突出部６１ａと、同じく第１の突出片４２に設けられ、第１の辺部７１から開口７０の内部方向に向かって突出した第２の突出部６１ｂとから構成されている（同図（ａ）参照）。また、第１の支持部６１は、第２の突出片４３に設けられ、開口７０の第１の辺部７１から開口７０の内部方向に向かって突出した第３の突出部６１ｃから構成されている（同図（ｂ）参照）。即ち、第１の支持部６１は、第１の突出部６１ａ、第２の突出部６１ｂ、および第３の突出部６１ｃとから構成されている。なお本実施形態でも、第１の突出部６１ａ、第２の突出部６１ｂ、および第３の突出部６１ｃは、その外縁が円弧状に形成されている。
【００４１】
第２の支持部（第２の位置決め部）６２は、第１の突出片４２に設けられ、第１の辺部７１から開口７０の内部方向に向かって突出した第１の突出部６２ａと、同じく第１の突出片４２に設けられ、第１の辺部７１から開口７０の内部方向に向かって突出した第２の突出部６２ｂとから構成されている（同図（ａ）参照）。また、第２の支持部６２は、第２の突出片４３に設けられ、第１の辺部７１から開口７０の内部方向に向かって突出した第３の突出部６２ｃから構成されている（同図（ｂ）参照）。即ち、第２の支持部６２は、第１の突出部６２ａ、第２の突出部６２ｂ、および第３の突出部６２ｃとから構成されている。なお、第１の突出部６２ａ、第２の突出部６２ｂ、および第３の突出部６２ｃは、その外縁が円弧状に形成されている。
【００４２】
ここで、第２の支持部６２における第１の突出部６２ａおよび第２の突出部６２ｂは、第１の支持部６１における第１の突出部６１ａと第２の突出部６１ｂとの間に位置している。さらに、第１の突出片４２における第１の辺部７１の表面を基準面とした場合に、第２の支持部６２における第１の突出部６２ａおよび第２の突出部６２ｂの突出高さは、第１の支持部６１における第１の突出部６１ａおよび第２の突出部６１ｂの突出高さよりも低く形成されている。また、第２の突出片４３における第１の辺部７１の表面を基準とした場合に、第２の支持部６２における第３の突出部６２ｃの突出高さは、第１の支持部６１における第３の突出部６１ｃの突出高さよりも低く形成されている。
【００４３】
さらに、同図（ｃ）にも示すように、第２ミラー５２の長手方向において、第２の支持部６２における第３の突出部６２ｃは、第１の支持部６１における第３の突出部６１ｃよりも内側に配置されている。また、本実施形態においても、第１の突出部６１ａの頂部、第２の突出部６１ｂの頂部、および第３の突出部６１ｃの頂部に接する接平面と、第１の突出部６２ａの頂部、第２の突出部６２ｂの頂部、および第３の突出部６２ｃの頂部に接する接平面とが略平行となるように、これらの突出部は配置されている。また、第１の支持部６１における第１の突出部６１ａ、第２の突出部６１ｂ、および第３の突出部６１ｃは、ミラー支持部材４０と一体に形成されている。さらに、第２の支持部６２における第１の突出部６２ａ、第２の突出部６２ｂ、および第３の突出部６２ｃも、ミラー支持部材４０と一体に形成されている。
【００４４】
ここで、第２ミラー５２を第１の支持部６１によって支持する場合、同図（ａ）、（ｂ）、（ｃ２）に示すように、第２ミラー５２を第１の突出片４２における開口７０、および第２の突出片４３における開口７０に挿入する。その後、同図（ａ）に示すように、第２の辺部７２と第２ミラー５２との間にミラークリップ８０を配置する。また、同図（ｂ）、（ｃ２）に示すように、第２の辺部７２と第２ミラー５２との間にミラークリップ８０を配置する。これにより、第２ミラー５２は、第１の支持部６１を構成する第１の突出部６１ａ、第２の突出部６１ｂ、および第３の突出部６１ｃに接触配置され、ミラー支持部材４０（ハウジング６０）に固定される。
【００４５】
また、第２ミラー５２を第２の支持部６２によって支持する場合も、第２ミラー５２を両方の開口７０に挿入する。その後、第１の突出片４２における第２の辺部７２と第２ミラー５２と間にミラークリップ８０を挿入する。また、第２の突出片４３における第２の辺部７２と第２ミラー５２と間にミラークリップ８０を挿入する。これにより、第２ミラー５２は、第２の支持部６２を構成する第１の突出部６２ａ、第２の突出部６２ｂ、および第３の突出部６２ｃに接触配置され、ミラー支持部材４０（ハウジング６０）に固定される。
【００４６】
ここで、第１の支持部６１によって支持されていた第２ミラー５２を第２の支持部６２によって支持し第２ミラー５２の配置変更を行う場合、第２ミラー５２と第１の支持部６１とが干渉してしまう。このため、このような配置変更を行う場合には、第２ミラー５２の幅を、第１の支持部６１によって支持されていた第２ミラー５２の幅よりも小さくする必要がある。換言すれば、第２の支持部６２による支持を行う場合、第１の支持部６１により支持される第２ミラー５２に換え、この第２ミラー５２とはサイズを異にする新たな第２ミラー５２（他のミラー）が用いられる。付言すれば、第２の支持部６２による支持を行う場合、第１の支持部６１により支持される第２ミラー５２に換え、この第２ミラー５２よりも幅の小さい（サイズの小さい）新たな第２ミラー５２が用いられる。
【００４７】
なお、ミラークリップ８０は、次のような形態とすることもできる。
ここで図８は、ミラークリップ８０の他の形態を示したものである。同図（ａ）に示すように、本形態におけるミラークリップ８０は、第２ミラー５２に対向する対向面８０ｃに、対向面８０ｃから半球状に突出した、第２ミラー５２に接触する第１の接触部８０ｄおよび上記新たな第２ミラー５２に接触する第２の接触部８０ｅを備えている。
ここで、第１の接触部８０ｄは、同図（ｂ）に示すように、第２ミラー５２を挟み第３の突出部６１ｃの対向位置に配置される。また、第２の接触部８０ｅは、同図（ａ）に示すように、新たな第２ミラー５２を挟み第３の突出部６２ｃの対向位置に配置される。本態様の場合、第２ミラー５２や新たな第２ミラー５２を、より安定的に押圧することができる。
【００４８】
―第３の実施形態―
図９は、第３の実施形態における第１の支持部６１、第２の支持部６２等を示したものである。なお、本図においては、第２ミラー５２の一端部側のみを図示している。
本実施形態における第１の支持部６１は、支持プレート９０の平板状に形成された本体部９１における縁部９２から第２ミラー５２が配置される側に突出した突出部６１ｄにより構成されている。ここで、支持プレート９０は、ハウジング６０に取り付けられている。また、支持プレート９０は、例えば板金によって形成することができる。また、第２の支持部６２は、縁部９２から第２ミラー５２が配置される側に突出した突出部６２ｄにより構成されている。ここで、突出部６１ｄおよび突出部６２ｄは、縁部９２の配置方向に沿って並んで配置され、また、外縁部が円弧状に形成されている。また、突出部６２ｄにおける頂部は、突出部６１ｄにおける頂部よりも低く形成されている。さらに、本実施形態では、突出部６１ｄおよび突出部６２ｄの配置方向（配列方向）において、突出部６２ｄが配置された側に第２ミラー５２の位置（角度）を調整する調整機構（角度調整機構）９３が設けられている。
【００４９】
調整機構９３は、本体部９１から突出するように配置された突出片９３ａと、突出片９３ａに形成されるとともに第２ミラー５２に向かって形成されたねじ孔９３ｂと、ねじ孔９３ｂに挿入され第２ミラー５２に対し進退可能に設けられたねじ部材９３ｃとから構成されている。ここで、突出片９３ａと本体部９１とは、互いに略直交する関係となるように配置されている。本実施形態では、ねじ部材９３ｃを第２ミラー５２に対して進退させることで第２ミラー５２が調整可能となっている。具体的には、第２ミラー５２の高さ方向（厚み方向）における位置や、第２ミラー５２の角度を調整可能となっている。
【００５０】
第２ミラー５２が第１の支持部６１により支持される場合には、第２ミラー５２に対し、突出部６１ｄおよびねじ部材９３ｃが接触配置される。また、第２ミラー５２が第２の支持部６２により支持される場合には、第２ミラー５２に対し、突出部６２ｄおよびねじ部材９３ｃが接触配置される。なお、例えば、第１の支持部６１によって支持されていた第２ミラー５２を第２の支持部６２によって支持し第２ミラー５２の配置変更を行う場合、ユーザ等によりねじ部材９３ｃの調整が行われる。この調整により、ねじ部材９３ｃは、第１の支持部６１にて第２ミラー５２が支持される際の位置よりも、第２ミラー５２から離れた位置に位置するようになる。なお、本実施形態では上記ミラークリップ８０に相当する部材を図示していないが、第２ミラー５２を、突出部６１ｄ、突出部６２ｄ、調整機構９３に押圧することができればよく、その形状、構造は特に問わない。
【００５１】
―第４の実施形態―
ここで、図１０は、第４の実施形態における第１の支持部６１、第２の支持部６２を示したものである。ここで、本実施形態においては、ハウジング６０に直接、第１の支持部６１および第２の支持部６２が設けられ、ハウジング６０に第２ミラー５２が直接支持される構成となっている。なお、本図においては、ハウジング６０の一部のみを図示している。
【００５２】
同図に示すように、本実施形態における第１の支持部６１は、ハウジング６０の平坦部（平坦面、基準面）からこの平坦部の法線方向に突出した、第１の突出部６１ｅ、第２の突出部６１ｆ、および第３の突出部６１ｇから構成されている。ここで、第１の突出部６１ｅ、第２の突出部６１ｆ、および第３の突出部６１ｇの第２ミラー５２と接触する接触面は、平坦状に形成されている。また、第１の突出部６１ｅおよび第２の突出部６１ｆは、配置される第２ミラー５２の一方端側に配置され、第３の突出部６１ｇは、配置される第２ミラー５２の他方端側に配置される。また、第１の突出部６１ｅ、第２の突出部６１ｆ、および第３の突出部６１ｇは、ハウジング６０から突出高さ（突出量）がほぼ等しい状態にある。
【００５３】
一方、第２の支持部６２は、第１の支持部６１と同様に、ハウジング６０の平坦部からこの平坦部の法線方向に突出した、第１の突出部６２ｅ、第２の突出部６２ｆ、および第３の突出部６２ｇから構成されている。ここで、第１の突出部６２ｅ、第２の突出部６２ｆ、および第３の突出部６２ｇの第２ミラー５２と接触する接触面は、平坦状に形成されている。また、第１の突出部６２ｅおよび第２の突出部６２ｆは、配置される第２ミラー５２の一方端側に配置され、第３の突出部６２ｇは、配置される第２ミラー５２の他方端側に配置される。また、第１の突出部６２ｅ、第２の突出部６２ｆ、および第３の突出部６２ｇは、ハウジング６０から突出高さ（突出量）がほぼ等しい状態にある。
【００５４】
なお、第１の突出部６２ｅおよび第２の突出部６２ｆは、第１の支持部６１における第１の突出部６１ｅおよび第２の突出部６１ｆよりも、第３の突出部６１ｇ側に位置している。また、第３の突出部６２ｇは、第１の支持部６１における第３の突出部６１ｇよりも第１の突出部６１ｅおよび第２の突出部６１ｆ側に位置している。即ち、第２の支持部６２における第１の突出部６２ｅ、第２の突出部６２ｆ、第３の突出部６２ｇは、第１の支持部６１における第１の突出部６１ｅ、第２の突出部６１ｆ、および第３の突出部６１ｇよりも内側に位置している。ここで本実施形態では、ハウジング６０の上記平坦部を基準面とした場合に、第２の支持部６２における第１の突出部６２ｅ、第２の突出部６２ｆ、第３の突出部６２ｇの突出高さは、第１の支持部６１における第１の突出部６１ｅ、第２の突出部６１ｆ、第３の突出部６１ｇの突出高さよりも低く形成されている。
【００５５】
ここで、第２ミラー５２が第１の支持部６１によって支持される場合、第２ミラー５２は、ミラークリップ８０等の不図示の押圧部材によって押圧され、第１の突出部６１ｅ、第２の突出部６１ｆ、第３の突出部６１ｇに接触配置される。これにより第２ミラー５２は、第１の支持部６１により安定的に支持される。
一方、第２ミラー５２が第２の支持部６２によって支持される場合、第２ミラー５２は、不図示の押圧部材によって押圧され、第１の突出部６２ｅ、第２の突出部６２ｆ、第３の突出部６２ｇに接触配置される。これにより第２ミラー５２は、第２の支持部６２により安定的に支持される。
【００５６】
なお、第２の支持部６２により支持される場合の第２ミラー５２には、第１の支持部６１により支持される場合の第２ミラー５２よりも、長手方向における寸法が小さい新たなミラー（他のミラー）が用いられる。また、本実施形態では、第１の支持部６１を構成する第１の突出部６１ｅ、第２の突出部６１ｆ、および第３の突出部６１ｇは、ハウジング６０と一体に形成されている。また、第２の支持部６２を構成する第１の突出部６２ｅ、第２の突出部６２ｆ、および第３の突出部６２ｇもハウジング６０と一体に形成されている。
【００５７】
―第５の実施形態―
図１１は、第５の実施形態における第１の支持部６１、第２の支持部６２を示したものである。ここで、本実施形態における第１の支持部６１、第２の支持部６２は、ハウジング６０から突出した突出部の形状を除き、上記第４の実施形態と同様に構成されている。
本実施形態では、第１の支持部６１における第１の突出部６１ｅ、第２の突出部６１ｆ、第３の突出部６１ｇの形状、および第２の支持部６２における第１の突出部６２ｅ、第２の突出部６２ｆ、および第３の突出部６２ｇの形状を、半球状としている。この結果、これらの突出部と第２ミラー５２との接触形態は、点接触となる。このため、突出部と第２ミラー５２との接触を確実に維持することができ、第２ミラー５２が一部の突出部から浮いてしまうなどの不具合の発生を抑制することができる。
【図面の簡単な説明】
【００５８】
【図１】第１の実施形態に係る画像読み取り装置の全体構成を示す図である。
【図２】読み取りユニットの共用化を説明するための図である。
【図３】本実施形態における読み取りユニットを示したものである。
【図４】第２ミラーの固定態様を示した図である。
【図５】第１の突出片、第２の突出片、および第２ミラーを図示したものである。
【図６】第２の実施形態における第２ミラーの固定態様を示した図である。
【図７】第１の突出片、第２の突出片、および第２ミラーを図示したものである。
【図８】ミラークリップの他の形態を示したものである。
【図９】第３の実施形態における第１の支持部、第２の支持部等を示したものである。
【図１０】第４の実施形態における第１の支持部、第２の支持部を示したものである。
【図１１】第５の実施形態における第１の支持部、第２の支持部を示したものである。
【符号の説明】
【００５９】
１２…読み取りユニット、４０…ミラー支持部材、５０…照明ランプ、５１…第１ミラー、５２…第２ミラー、５３…第３ミラー、５４…第４ミラー、５６…ＣＣＤイメージセンサ、６０…ハウジング、６１…第１の支持部、６２…第２の支持部、７０…開口、７１…第１の辺部、７２…第２の辺部、８０…ミラークリップ、９０…支持プレート、９３…調整機構
【図１】
2009188937.tif 000003
【図２】
2009188937.tif 000004
【図３】
2009188937.tif 000005
【図４】
2009188937.tif 000006
【図５】
2009188937.tif 000007
【図６】
2009188937.tif 000008
【図７】
2009188937.tif 000009
【図８】
2009188937.tif 000010
【図９】
2009188937.tif 000011
【図１０】
2009188937.tif 000012
【図１１】
2009188937.tif 000013